(57)【要約】【課題】簡易な構成により、複数台の電源装置を種々の形態により接続して使用することができる電源装置及び電源システムを提案する。【解決手段】所望の出力電圧Ｖ１により電源を出力する電源装置１１において、基準電位の伝送に供するコモン端子ＣＯＭと、基準電圧Ｖ４の伝送に供する基準電圧端子ＶＣと、入力電圧Ｖ４を電圧電流変換処理して抵抗Ｒ３、Ｒ４を駆動することにより、入力電圧Ｖ４の基準電位を、コモン端子ＣＯＭの電位から、出力電圧Ｖ１の基準電位に変更して中間処理用基準電圧Ｖ５を生成する電圧電流変換回路２１と、中間処理用基準電圧Ｖ５を基準にして出力電圧Ｖ１の制御電圧Ｖ２を生成する誤差増幅回路４と、制御電圧Ｖ２に応じて出力電圧Ｖ１を可変して電源を出力する電源出力部２とを備える。【選択図】図１
2014110641.tif 000002
【特許請求の範囲】
【請求項１】
所望の出力電圧により電源を出力する電源装置において、
基準電位の伝送に供するコモン端子と、
基準電圧の伝送に供する基準電圧端子と、
入力電圧を電圧電流変換処理して抵抗を駆動することにより、前記入力電圧の基準電位を、前記コモン端子の電位から、前記出力電圧の基準電位に変更して中間処理用基準電圧を生成する電圧電流変換回路と、
前記中間処理用基準電圧を基準にして前記出力電圧の誤差電圧を生成する誤差増幅回路と、
前記誤差電圧に応じて前記出力電圧を可変して前記電源を出力する電源出力部とを備え、
マスタへの設定により、
前記コモン端子の電位が前記基準電位に設定された基準電圧を前記電圧電流変換回路に入力すると共に、当該基準電圧を前記基準電圧端子を介してスレーブの電源装置に出力することにより、
前記基準電圧に応じて出力電圧を可変すると共に、前記スレーブの電源装置の出力電圧を連動させて可変し、
スレーブの設定により、
マスタの電源装置から出力される基準電圧を前記基準電圧端子を介して入力して前記電圧電流変換回路に入力することにより、前記マスタの電源装置の出力電圧に連動させて出力電圧を可変する
電源装置。
【請求項２】
前記電圧電流変換回路は、
前記入力電圧を電圧電流変換処理して抵抗を駆動することにより、前記入力電圧の基準電位を、前記コモン端子の電位から第１の電位に変換する第１の電位変換部と、
前記第１の電位変換部の出力電圧を電圧電流変換処理して抵抗を駆動することにより、前記中間処理用基準電圧を生成する第２の電位変換部とを備える
請求項１に記載の電源装置。
【請求項３】
少なくもと第１及び第２の電源装置を備える電源システムにおいて、
前記第１及び第２の電源装置は、
基準電位の伝送に供するコモン端子と、
基準電圧の伝送に供する基準電圧端子と、
入力電圧を電圧電流変換処理して抵抗を駆動することにより、前記入力電圧の基準電位を、前記コモン端子の電位から、出力電圧の基準電位に変更して中間処理用基準電圧を生成する電圧電流変換回路と、
前記中間処理用基準電圧を基準にして前記出力電圧の誤差電圧を生成する誤差増幅回路と、
前記誤差電圧に応じて前記出力電圧を可変して電源を出力する電源出力部とを備え、
前記第１の電源装置は、
前記コモン端子の電位が前記基準電位に設定された基準電圧を前記電圧電流変換回路に入力することにより、前記基準電圧に応じて出力電圧を可変し、
さらに当該基準電圧を前記基準電圧端子を介して前記第２の電源装置に出力し、
前記第２の電源装置は、
前記第１の電源装置から出力される基準電圧を前記基準電圧端子を介して入力して前記電圧電流変換回路に入力することにより、前記第１の電源装置の出力電圧に連動して出力電圧を可変する
電源システム。
【請求項４】
前記電圧電流変換回路は、
前記入力電圧を電圧電流変換処理して抵抗を駆動することにより、前記入力電圧の基準電位を、前記コモン端子の電位から第１の電位に変更する第１の電位変換部と、
前記第１の電位変換部の出力電圧を電圧電流変換処理して抵抗を駆動することにより、前記中間処理用基準電圧を生成する第２の電位変換部とを備える
請求項３に記載の電源システム。
【発明の詳細な説明】
【技術分野】
【０００１】
本発明は、電源装置及び電源システムに関し、簡易な構成により複数台の電源装置を種々の形態により接続して使用できるようにする。
【背景技術】
【０００２】
従来、集積回路等の試験装置では、試験に供する電源を電源装置から試験対象に供給している。またこのような試験装置では、試験対象に応じて種々の形態により電源装置を接続して使用している。
【０００３】
すなわち図５は、この種の電源装置を示す図である。電源装置１は、商用電源を整流して駆動用電源を生成し、この駆動用電源を電源出力部２に供給する。電源出力部２は、例えばスイッチングレギュレータ、シリーズレギュレータ等により構成され、制御電圧Ｖ２に応じた出力電圧Ｖ１により直流電源を出力する。電源装置１は、この出力電圧Ｖ１が基準電圧Ｖｒｅｆで決まる電圧となるように、制御回路３で電源出力部２の制御電圧Ｖ２を生成し、これによりフィードバック制御により出力電圧Ｖ１を制御する。
【０００４】
すなわち制御回路３は、抵抗Ｒ１、Ｒ２による抵抗分圧により出力電圧Ｖ１を分圧して分圧電圧を生成し、この分圧電圧と基準電圧Ｖｒｅｆとの誤差電圧を誤差増幅回路４により生成する。制御回路３は、この誤差増幅回路４による誤差電圧を制御電圧Ｖ２として電源出力部２に出力する。なおこの図５において、電源５は、誤差増幅回路４の駆動用電源である。基準電圧Ｖｒｅｆは、例えば上位のコントローラ等による制御により内蔵のディジタルアナログ変換回路で生成され、これらにより電源装置１は、この基準電圧Ｖｒｅｆを可変して出力電圧Ｖ１を可変できるように構成される。
【０００５】
図６は、図５との対比により、このような電源装置１Ａ、１Ｂを並列接続して使用する場合の図である。すなわちこのような並列接続は、１台の電源装置では、負荷に供給する電力が不足する場合等に使用され、電源装置１Ａ及び１Ｂの電源出力を並列接続して使用する。電源装置１Ａ及び１Ｂは、それぞれマスタ及びスレーブに設定され、マスタ側（電源装置１Ａ）では、１台で使用する場合と同一に、誤差増幅回路４Ａに基準電圧ＶｒｅｆＡが供給される。スレーブ側の電源装置１Ｂは、スイッチ回路ＳＷ２の切り替えにより、電源装置１Ｂ用の基準電圧ＶｒｅｆＢに代えて、マスタ側の電源装置１Ａに供給される基準電圧ＶｒｅｆＡが誤差増幅回路４Ｂに供給される。
【０００６】
これにより電源装置１Ｂは、電源装置１Ａによる出力電圧Ｖ１Ａと同一の電圧により出力電圧Ｖ１Ｂを出力するように、制御回路３Ｂにより電源出力部の動作を制御する。これにより電源装置１Ａ及び１Ｂでは、１つの基準電圧Ｖｒｅｆの可変により出力電圧Ｖ１Ａ及びＶ１Ｂを連動して可変して、並列出力の出力電圧Ｖ１を可変する。
【０００７】
図７は、いわゆる電源装置１Ａ及び１Ｂを段積する場合であり、直列接続により電源装置１Ａ及び１Ｂを使用する場合を示す図である。この場合、電源装置１Ｂの電源出力に係るホット側を、電源装置１Ａの電源出力に係るコールド側に接続し、２台の電源装置１Ａ及び１Ｂの出力電圧の加算電圧により電源を出力する。
【０００８】
この直列接続による場合、電源装置１Ａの制御回路３Ａと、電源装置１Ｂの制御回路３Ｂとで電位が異なることになる。より具体的には、ホット側電源装置１Ａにおける電源出力のコールド側ラインの電圧ＶＣＡが、コールド側電源装置１Ｂの出力電圧Ｖ１Ｂだけグランド電位（コールド側電源装置１Ｂにおける電源出力のコールド側ラインの電圧ＶＣＢ）よりオフセットすることになる。これによりこの図７の例では、例えば絶縁アンプ、Ｖ−Ｆ変換器等を使用してこのオフセット分をキャンセルして、制御回路３Ａに係る基準電圧ＶｒｅｆＡを制御回路３Ｂに伝送することが必要であり、これにより電源装置１Ａ及び１Ｂによる出力電圧Ｖ１Ａ及びＶ１Ｂを連動させて可変して、直列出力の出力電圧Ｖ１を可変することができる。
【０００９】
このような複数の電源装置の制御に関して、特許文献１には、各電源装置にマイコンを内蔵し、この内蔵のマイコンによるデータ通信により、複数台の電源装置を接続して使用する工夫が提案されている。
【先行技術文献】
【特許文献】
【００１０】
【特許文献１】特開２００９−２１９２０２号公報
【発明の概要】
【発明が解決しようとする課題】
【００１１】
ところで図７について上述した構成では、制御回路３Ａに係る基準電圧ＶｒｅｆＡを制御回路３Ｂに伝送する構成に関して、電源装置の構成が複雑になる問題がある。
【００１２】
本発明は以上の点を考慮してなされたもので、簡易な構成により、複数台の電源装置を種々の形態により接続して使用することができる電源装置及び電源システム提案しようとするものである。
【課題を解決するための手段】
【００１３】
上記の課題を解決するため請求項１の発明は、
所望の出力電圧により電源を出力する電源装置において、
基準電位の伝送に供するコモン端子と、
基準電圧の伝送に供する基準電圧端子と、
入力電圧を電圧電流変換処理して抵抗を駆動することにより、前記入力電圧の基準電位を、前記コモン端子の電位から、前記出力電圧の基準電位に変更して中間処理用基準電圧を生成する電圧電流変換回路と、
前記中間処理用基準電圧を基準にして前記出力電圧の誤差電圧を生成する誤差増幅回路と、
前記誤差電圧に応じて前記出力電圧を可変して前記電源を出力する電源出力部とを備え、
マスタへの設定により、
前記コモン端子の電位が前記基準電位に設定された基準電圧を前記電圧電流変換回路に入力すると共に、当該基準電圧を前記基準電圧端子を介してスレーブの電源装置に出力することにより、
前記基準電圧に応じて出力電圧を可変すると共に、前記スレーブの電源装置の出力電圧を連動させて可変し、
スレーブの設定により、
マスタの電源装置から出力される基準電圧を前記基準電圧端子を介して入力して前記電圧電流変換回路に入力することにより、前記マスタの電源装置の出力電圧に連動させて出力電圧を可変する。
【００１４】
請求項１の構成によれば、コモン端子による基準電位を基準にして基準電圧を伝送し、この基準電圧の基準電位を出力電圧の基準電位に変換して処理することにより、電圧電流変換回路を設けるだけの簡易な構成により、段積接続等により、電圧電流変換回路、誤差増幅回路の電位がマスタとスレーブとで異なっている場合であっても、マスタとスレーブとで連動させて、１つの基準電圧の可変により複数台の電源装置における出力電圧を可変することができる。これにより簡易な構成により、複数台の電源装置を種々の形態により接続して使用することができる。
【００１５】
また請求項２の発明は、請求項１の構成において、
前記電圧電流変換回路は、
前記入力電圧を電圧電流変換処理して抵抗を駆動することにより、前記入力電圧の基準電位を、前記コモン端子の電位から第１の電位に変換する第１の電位変換部と、
前記第１の電位変換部の出力電圧を電圧電流変換処理して抵抗を駆動することにより、前記中間処理用基準電圧を生成する第２の電位変換部とを備える。
【００１６】
請求項２の構成によれば、基準電圧の設定に係る基準電位を種々に設定することができる。
【００１７】
また請求項３の発明は、
少なくもと第１及び第２の電源装置を備える電源システムにおいて、
前記第１及び第２の電源装置は、
基準電位の伝送に供するコモン端子と、
基準電圧の伝送に供する基準電圧端子と、
入力電圧を電圧電流変換処理して抵抗を駆動することにより、前記入力電圧の基準電位を、前記コモン端子の電位から、出力電圧の基準電位に変更して中間処理用基準電圧を生成する電圧電流変換回路と、
前記中間処理用基準電圧を基準にして前記出力電圧の誤差電圧を生成する誤差増幅回路と、
前記誤差電圧に応じて前記出力電圧を可変して電源を出力する電源出力部とを備え、
前記第１の電源装置は、
前記コモン端子の電位が前記基準電位に設定された基準電圧を前記電圧電流変換回路に入力することにより、前記基準電圧に応じて出力電圧を可変し、
さらに当該基準電圧を前記基準電圧端子を介して前記第２の電源装置に出力し、
前記第２の電源装置は、
前記第１の電源装置から出力される基準電圧を前記基準電圧端子を介して入力して前記電圧電流変換回路に入力することにより、前記第１の電源装置の出力電圧に連動して出力電圧を可変する。
【００１８】
請求項３の構成によれば、コモン端子による基準電位を基準にして基準電圧を伝送し、この基準電圧の基準電位を出力電圧の基準電位に変換して処理することができることにより、電圧電流変換回路を設けるだけの簡易な構成により、段積接続等により、電圧電流変換回路、誤差増幅回路の電位がマスタとスレーブとで異なっている場合であっても、マスタとスレーブとで連動させて、１つの基準電圧の可変により複数台の電源装置における出力電圧を可変することができる。これにより簡易な構成により、複数台の電源装置を種々の形態により接続して使用することができる。
【００１９】
請求項４の発明は、請求項３の構成において、
前記電圧電流変換回路は、
前記入力電圧を電圧電流変換処理して抵抗を駆動することにより、前記入力電圧の基準電位を、前記コモン端子の電位から、前記コモン端子の電位に対応する電位に変換する第１の電位変換部と、
前記第１の電位変換部の出力電圧を電圧電流変換処理して抵抗を駆動することにより、前記中間処理用基準電圧を生成する第２の電位変換部とを備える。
【００２０】
請求項４の構成によれば、基準電圧の設定に係る基準電位を種々に設定することができる。
【発明の効果】
【００２１】
本発明によれば、簡易な構成により、複数台の電源装置を種々の形態により接続して使用することができる。
【図面の簡単な説明】
【００２２】
【図１】本発明の第１実施形態に係る電源装置を示す図である。
【図２】図１の電源装置による段積による接続を示す図である。
【図３】本発明の第２実施形態に係る電源装置を示す図である。
【図４】図２の電源装置による段積による接続を示す図である。
【図５】従来の電源装置を示す図である。
【図６】従来の電源装置による並列接続を示す図である。
【図７】従来の電源装置による段積による接続を示す図である。
【発明を実施するための形態】
【００２３】
以下、適宜図面を参照しながら本発明の実施の形態を詳述する。
【００２４】
〔第１実施形態〕
図１は、本発明の第１実施形態に係る電源装置を示す図である。この電源装置１１は、他の電源装置との間で、基準電圧に係る基準電位の伝送に供するコモン端子ＣＯＭが設けられる。また電源装置１１は、基準電圧端子ＶＣが設けられ、この基準電圧端子ＶＣを介して、他の電源装置との間で基準電圧を入出力する。電源装置１１は、この基準電圧端子ＶＣに係る基準電圧を、コモン端子ＣＯＭの電位を基準電位に設定したコモン端子ＣＯＭとの端子間電圧により設定する。電源装置１１は、このコモン端子ＣＯＭの電位を基準電位とした基準電圧端子ＶＣの設定に対応するように制御回路１３が構成され、これにより種々の形態により電源装置１１を他の電源装置と接続して使用できるように構成される。
【００２５】
すなわち電源装置１１において、制御回路１３は、コモン端子ＣＯＭが電源１５のホット側端に接続され、この電源１５により演算増幅回路１６、１７が駆動される。演算増幅回路１６は、非反転入力端に基準電圧Ｖｒｅｆが供給されると共に、出力端にダイオード１８のアノードが接続され、このダイオード１８のカソードが反転入力端に接続される。これにより演算増幅回路１６の出力端への外部からの電流の流入を確実に防止するようにして、ダイオード１８のカソード端の出力電圧（中間処理用基準電圧）Ｖ４を基準電圧Ｖｒｅｆに対応する電圧に設定する。電源装置１１は、このカソード端の出力電圧Ｖ４を基準電圧端子ＶＣより出力し、これによりコモン端子ＣＯＭの電位を基準にした端子間電圧により他の電源装置に基準電圧Ｖ４を出力する。
【００２６】
なお図２において後述するように、電源装置１１は、基準電圧Ｖｒｅｆに代えて電源１５のコールド側電圧を非反転入力端に入力できるように構成され、これによりスレーブに設定されて他の電源装置からの基準電圧Ｖ４により出力電圧Ｖ１を可変する場合には、ダイオード１８をオフ状態に設定して、このダイオード１８のカソード電圧Ｖ４を基準電圧端子ＶＣの電圧（マスタ装置より入力去れる基準電圧）に保持できるように構成される。またこれに対応して基準電圧の切り替えに供するスイッチ等が設けられる（図２）。
【００２７】
演算増幅回路１７は、ダイオード１８のカソードを非反転入力端に接続し、出力端をトランジスタＱ１のベースに接続する。トランジスタＱ１は、抵抗Ｒ３を介してエミッタが電源１５のホット側端（コモン端子ＣＯＭのライン）に接続され、さらにエミッタが演算増幅回路１７の反転入力端に接続される。またトランジスタＱ１は、抵抗Ｒ４を介してコレクタが、この電源装置１１の電圧出力のコールド側ラインに接続される。これにより制御回路１３は、演算増幅回路１７、トランジスタＱ１により基準電圧Ｖ４を電圧電流変換処理して、抵抗Ｒ３の両端電圧を基準電圧Ｖ４に対応する電圧に設定する共に、この抵抗Ｒ４に流れる電流と等しい電流を抵抗Ｒ４に流入させ、コモン端子ＣＯＭの電位を基準に設定された基準電圧Ｖｒｅｆ、Ｖ４を、当該電源装置１１の出力電圧Ｖ１のコールド側端電圧を基準にした基準電圧Ｖ５に変換する。
【００２８】
これによりこの実施形態において、演算増幅回路１７、抵抗Ｒ３、Ｒ４、トランジスタＱ１は、入力電圧Ｖ４を電圧電流変換処理して抵抗Ｒ３、Ｒ４を駆動することにより、この入力電圧Ｖ４の基準電位を、コモン端子ＣＯＭの電位から、出力電圧Ｖ１の基準電位に変更して中間処理用基準電圧Ｖ５を生成する電圧電流変換回路２１を構成する。
【００２９】
制御回路１３は、この出力電圧Ｖ１のコールド側端電圧を基準にした基準電圧Ｖ５により、出力電圧Ｖ１の制御電圧Ｖ２を生成する。すなわち制御回路１３において、演算増幅回路１９はボルテージフォロワ回路により構成され、基準電圧Ｖ５を誤差増幅回路４の非反転入力端に入力し、この誤差増幅回路４により抵抗Ｒ１、Ｒ２による分圧電圧との誤差電圧を生成して制御電圧Ｖ２により出力する。
【００３０】
なお制御回路３は、出力電圧Ｖ１のコールド側ラインと、電源１５のコールド側ラインとの間に、電源１５側をカソードとしたダイオード２０が設けられ、これにより出力電圧Ｖ１のコールド側ラインに対して、電源１５のコールド側ラインの電圧をクランプし、後述するいわゆる段積接続時において、スレーブ側に対してマスタ側の出力電圧が高い電圧、低い電圧の何れに設定される場合でも動作できるように保持される。
【００３１】
図２は、この電源装置１１Ａ及び１１Ｂを使用した段積接続による電源システムの構成を示す図である。この電源システム２３において、電源装置１１Ａ及び１１Ｂは、図１について上述した電源装置１１と同一に構成されることにより、この図２においては、図１との対比により電源装置１１Ａと１１Ｂとで添え字を異ならせて対応する符号により対応する構成を示す。
【００３２】
この電源システム２３は、電源装置１１Ａのコールド側出力端が、電源装置１１Ｂのホット側出力端に接続され、これら電源装置１１Ａ及び１１Ｂの出力電圧Ｖ１Ａ及びＶ１Ｂを加算した電圧Ｖ１により電源を出力する。この電源システム２３では、このホット側電源装置１１Ａ及びコールド側電源装置１１Ｂで、コモン端子ＣＯＭ及び基準電圧端子ＶＣがそれぞれ接続される。またこれらホット側電源装置１１Ａ及びコールド側電源装置１１Ｂがそれぞれマスタ及びスレーブに設定され、上位のコントローラよる制御により、マスタ側の電源装置１１Ａにおいて、コモン端子ＣＯＭの電位を基準にした基準電圧ＶｒｅｆＡが演算増幅回路１６Ａの非反転入力端に設定される。またスレーブ側電源装置１１Ｂは、スイッチ回路ＳＷ２により、基準電圧ＶｒｅｆＢに代えて電源１５Ｂのコールド側電圧が演算増幅回路１６Ｂの非反転入力端に供給される。
【００３３】
これによりこの電源システム２３では、コモン端子ＣＯＭを基準にして設定された基準電圧ＶｒｅｆＡにより、演算増幅回路１７Ａの入力端を、同様のコモン端子ＣＯＭを基準にした基準電圧Ｖ４Ａに設定すると共に、この基準電圧Ｖ４Ａを電源装置１１Ｂに伝送して演算増幅回路１７Ｂの非反転入力端に設定する。
【００３４】
これにより電源装置１１Ａにおいては、このコモン端子ＣＯＭを基準にした基準電圧Ｖ４Ａが、演算増幅回路１７Ａ、トランジスタＱ１Ａ、抵抗Ｒ３Ａ、Ｒ４Ａにより、電源装置１１Ａのコールド側端子電圧を基準にした基準電圧Ｖ５Ａに変換され、この基準電圧Ｖ５Ａと抵抗Ｒ１Ａ及びＲ２Ａによる分圧電圧により制御電圧（誤差電圧）Ｖ２Ａが生成され、基準電圧ＶｒｅｆＡに応じて出力電圧Ｖ１を可変する。
【００３５】
また電源装置１１Ｂにおいては、同様に、コモン端子ＣＯＭを基準にした基準電圧Ｖ４Ａ（Ｖ４Ｂ）が、演算増幅回路１７Ｂ、トランジスタＱ１Ｂ、抵抗Ｒ３Ｂ、Ｒ４Ｂにより、電源装置１１Ｂのコールド側端子電圧を基準にした基準電圧Ｖ５Ｂに変換され、この基準電圧Ｖ５Ｂと抵抗Ｒ１Ｂ及びＲ２Ｂによる分圧電圧により制御電圧Ｖ２Ｂが生成され、これによりマスタ側の電源装置１１Ａに供給される基準電圧ＶｒｅｆＡに応じて出力電圧Ｖ１を可変することができる。
【００３６】
これらによりこの電源システム２３では、電源装置１１Ｂの出力電圧を電源装置１１Ａの出力電圧に連動させて可変することができる。しかして電源システム２３では、電源装置１１Ａ及び１１Ｂにおいて、コモン端子ＣＯＭを基準にした基準電圧Ｖ４Ａにより電源装置１１Ａに設定した基準電圧ＶｒｅｆＡに対応する電圧を電源装置１１Ｂに伝送するようにして、それぞれ当該基準電圧Ｖ４Ａ及びＶ４Ｂを各電源装置１１Ａ及び１１Ｂのコールド側端子の電位を基準にした基準電圧Ｖ５Ａ及びＶ５Ｂに変換して誤差電圧を生成していることにより、この実施形態のように、段積により接続して電源装置１１Ａ及び１１Ｂで制御回路１３Ａ及び１３Ｂの電位が異なる場合であっても、簡易な構成により電源装置１１Ａに連動させて電源装置１１Ｂの出力電圧を可変することができる。
【００３７】
またこのように電源装置１１Ａ及び１１Ｂ間で制御回路１３Ａ及び１１Ｂの電位が異なっている場合でも、連動させて出力電圧を可変できることにより、種々の形態により電源装置を組み合わせて電源を供給することができる。
【００３８】
〔第２実施形態〕
ところで上述の実施形態の構成では、コモン端子ＣＯＭの電位に対して、マイナスの電位により基準電圧Ｖｒｅｆ、ＶｒｅｆＡを設定することになる。これにより電源装置の接続形態、他の計測装置等との接続形態に制限が発生する恐れがある。そこでこの実施形態では、コモン端子ＣＯＭの電位に対してプラス電位により基準電圧を設定する。
【００３９】
図３は、本発明の第２実施形態に係る電源装置を示す図である。この図３において、図１の電源装置１１と同一の構成は対応する符号を付して示し、重複した説明は省略する。この電源装置３１は、電源１５のコールド側がコモン端子ＣＯＭに接続され、このコモン端子ＣＯＭと演算増幅回路１６の非反転入力端との間に、基準電圧Ｖｒｅｆが供給される。これにより電源装置３１は、コモン端子ＣＯＭの電位を基準にしたプラスの電位により基準電圧Ｖｒｅｆが供給される。またこのコモン端子ＣＯＭの電位を基準にしたプラスの電位により基準電圧Ｖ４を入出力する。
【００４０】
電源装置３１は、この演算増幅回路１６より出力される基準電圧Ｖ４を演算増幅回路４２を介して演算増幅回路１７に入力する。ここで演算増幅回路４２は、演算増幅回路１６、１７と同様に、電源１５により動作し、非反転入力端に基準電圧Ｖ４を入力する。またトランジスタＱ３のベースに出力端が接続され、このトランジスタＱ３のエミッタが抵抗Ｒ６を介して電源１５のコールド側端に接続される。またこのトランジスタＱ３のエミッタが演算増幅回路４２の反転入力端に接続され、トランジスタＱ３のコレクタが抵抗Ｒ５を介して電源１５のホット側端に接続される。
【００４１】
これにより演算増幅回路４２は、抵抗Ｒ５、Ｒ６と共に、入力電圧を電圧電流変換処理して抵抗Ｒ５、Ｒ６を駆動することにより、入力電圧の基準電位を、コモン端子ＣＯＭの電位から第１の電位である電源１５のホット側端電位に変換する第１の電位変換部を構成する。また続く演算増幅回路１７、抵抗Ｒ３、Ｒ４は、第１の電位変換部の出力電圧を電圧電流変換処理して抵抗を駆動することにより、中間処理用基準電圧を生成する第２の電位変換部を構成する。
【００４２】
電源装置４１は、このトランジスタＱ３のコレクタ側端を演算増幅回路１７の非反転入力端に入力する。これにより電源装置４１は、演算増幅回路１７、抵抗Ｒ３、Ｒ４により、第１の電圧電流変換回路の出力を電圧電流変換処理して、中間処理用基準電圧Ｖ５を生成する。またこれら第１及び第２の電圧電流変換回路により、入力電圧Ｖ４の基準電位を、コモン端子ＣＯＭの電位から、出力電圧Ｖ１の基準電位に変更して中間処理用基準電圧Ｖ５を生成する電圧電流変換回路を構成する。
【００４３】
図４は、この電源装置３１Ａ及び３１Ｂを使用した段積接続による電源システムの構成を示す図である。この電源システム５３において、電源装置３１Ａ及び３１Ｂは、図３について上述した電源装置３１と同一に構成されることにより、この図４においては、図３との対比により電源装置３１Ａと３１Ｂとで添え字を異ならせて対応する符号により対応する構成を示す。
【００４４】
この電源システム５３は、電源装置３１Ａのコールド側出力端が、電源装置３１Ｂのホット側出力端に接続され、これら電源装置３１Ａ及び３１Ｂの出力電圧Ｖ１Ａ及びＶ１Ｂを加算した電圧Ｖ１により電源を出力する。この電源システム５３では、このホット側電源装置３１Ａ及びコールド側電源装置３１Ｂで、コモン端子ＣＯＭ及び基準電圧端子ＶＣがそれぞれ接続される。またこれらホット側電源装置３１Ａ及びコールド側電源装置３１Ｂがそれぞれマスタ及びスレーブに設定され、上位のコントローラよる制御により、マスタ側の電源装置３１Ａにおいて、コモン端子ＣＯＭの電位を基準にした基準電圧ＶｒｅｆＡが演算増幅回路１６Ａの非反転入力端に設定される。またスレーブ側電源装置３１Ｂは、スイッチ回路ＳＷ２により、基準電圧ＶｒｅｆＢに代えて電源１５Ｂのコールド側電圧が演算増幅回路１６Ｂの非反転入力端に供給される。
【００４５】
これによりこの電源システム５３では、コモン端子ＣＯＭを基準にしてプラス電位により設定された基準電圧ＶｒｅｆＡにより、演算増幅回路１７Ａの入力端を、同様のコモン端子ＣＯＭを基準にしたプラス電位により基準電圧Ｖ４Ａに設定すると共に、この基準電圧Ｖ４Ａを電源装置１１Ｂに伝送して演算増幅回路１７Ｂの非反転入力端に設定するようにして、このように設定、伝送された基準電圧Ｖ４Ａ、Ｖ４Ｂの基準電位を、コモン端子ＣＯＭの電位から電源１５のホット側ラインの電位に変換した後、コールド側出力ラインの電位に変換して基準電圧Ｖ５Ａ、Ｖ５Ｂを生成する。これによりこの電源システム５３では、コモン端子ＣＯＭの電位に対してプラス電位により基準電圧を設定できるようにして、第１実施形態と同様の効果を得ることができる。
【００４６】
〔他の実施形態〕
以上、本発明の実施に好適な具体的な構成を詳述したが、本発明は、本発明の趣旨を逸脱しない範囲で、上述の実施形態を種々に組み合わせるようにし、また上述の実施形態の構成を種々に変更することができる。
【００４７】
すなわち上述の実施形態では、段積により２台の電源装置を接続して電源システムを構成するようにして、ホット側をマスタに設定する場合について述べたが、本発明はこれに限らず、コールド側をマスタに設定してもよい。またさらに３台以上の電源装置を接続して電源システムを構成する場合等に広く適用することができる。
【００４８】
また上述の第２実施形態では、コモン端子の電位を基準にした基準電圧を、このコモン端子にコールド側ラインを接続した電源１５のホット側ラインを基準にした基準電圧に変換した後、出力電圧のコールド側ラインを基準にした基準電圧に変換する場合について述べたが、本発明はこれに限らず、さらに途中で第２、第３の基準電位を基準にした基準電圧に変換して最終的に出力電圧のコールド側ラインを基準にした基準電圧に変換するようにしてもよい。
【符号の説明】
【００４９】
１、１Ａ、１Ｂ、１１、３１、３１Ａ、３１Ｂ……電源装置、２……電源出力部、３、３Ａ、３Ｂ、１３、１３Ａ、１３Ｂ……制御回路、４、４Ａ、４Ｂ……誤差増幅回路、５、５Ａ、５Ｂ、１５、１５Ａ、１５Ｂ……電源、１６、１６Ａ、１６Ｂ、１７、１７Ａ、１７Ｂ、１９、１９Ａ、１９Ｂ……演算増幅回路、１８、１８Ａ、１８Ｂ、２０、２０Ａ、２０Ｂ……ダイオード、２１、２１Ａ、２１Ｂ、４１、４１Ａ、４１Ｂ……電圧電流変換回路、２３、５３……電源システム、ＣＯＭ……コモン端子、Ｑ１、Ｑ１Ａ、Ｑ１Ｂ、Ｑ３、Ｑ３Ａ、Ｑ３Ｂ……トランジスタ、Ｒ１〜Ｒ６、Ｒ１Ａ〜Ｒ６Ａ、Ｒ１Ｂ〜Ｒ６Ｂ……抵抗、ＳＷ２……スイッチ回路、ＶＣ……基準電圧端子
【図１】
2014110641.tif 000003
【図２】
2014110641.tif 000004
【図３】
2014110641.tif 000005
【図４】
2014110641.tif 000006
【図５】
2014110641.tif 000007
【図６】
2014110641.tif 000008
【図７】
2014110641.tif 000009